(57)【要約】【課題】軒先側のフレームに独立の野地パネルを取り付け易く、しかも、軒先側のフレームの機械的強度を特別に補強する必要のない屋根ユニットを提供する。【解決手段】傾斜した野地パネル２５と、この野地パネル２５の軒先側に取り付けた第１フレーム２３とを備えている屋根ユニット２である。そして、この第１フレーム２３の軒先側に第２フレーム２４を取り付け、この第２フレーム２４と独立の野地パネル４には、第２フレーム２４の上に独立の野地パネル４を載置したときに互いに連結することのできる連結部Ｍ、Ｎを設けた屋根ユニット２である。【選択図】  図１
2004324308.tif 000002
【特許請求の範囲】
【請求項１】
軒先側に独立の野地パネルを取り付けることのできる屋根ユニットであって、傾斜した野地パネルと、この野地パネルの軒先側に取り付けられた第１フレームとを備え、この第１フレームには、第２フレームが第１フレームの軒先側に取り付けられ、この第２フレームと前記独立の野地パネルには、第２フレームの上に独立の野地パネルを載置したときに互いに連結できる連結部が設けられていることを特徴とする屋根ユニット。
【請求項２】
前記第１フレームと第２フレームは、複数の縦材と、この縦材の上に架け渡された上弦材からなり、前記第２フレームの連結部は、この第２フレームの上弦材に取り付けられたパネル受け材と、このパネル受け材に取り付けられた上方に突出した下側係止材とからなり、前記独立の野地パネルの連結部は、棟側の裏面縁部に設けられた下方に突出した上側係止材であり、この上側係止材は第２フレームの下側係止材と上弦材との間に挿入可能になされていることを特徴とする請求項１記載の屋根ユニット。
【請求項３】
前記第２フレームは、屋根ユニットを第１居室ユニットの上に据え付けたときに、第１居室ユニットの軒先側に据え付けられている第２居室ユニットの上に載置される位置に設けられていることを特徴とする請求項１記載の屋根ユニット。
【発明の詳細な説明】
【０００１】
【発明の属する技術分野】
本発明はユニット建物に使用される屋根ユニットに関する
【０００２】
【従来の技術】
ユニット建物は、建物を運搬可能な大きさの居室ユニトと屋根ユニットや屋根パネルに分割し、この居室ユニットと屋根ユニットや屋根パネルを工場で製造し、施工現場に運搬し、施工現場で組み立てて建物となすものであって、現場施工期間が短く、且つ、寸法精度のよい標準化された建物となる特徴があるので、広く採用されている。
【０００３】
この屋根ユニットは、通常、特許文献１に記載さているように、１個の居室ユニットの上に１個の屋根ユニットが据え付けられることが多い。
そして、一般にユニット建物に組み立てる屋根ユニットは嵩張り、運搬費が高価になる。
特に、軒先側の屋根ユニットでは、庇を長く突出させると、運搬し難くなるので、庇の出寸法に制限があった。
そこで、特許文献１に記載されている屋根ユニットでは、軒先から突出している庇を折曲可能な野地パネルにして、運搬時には、この野地パネルを折り曲げて運搬するようにしている。
【０００４】
また、傾斜屋根ユニットの場合では、軒先側以外の場所では、野地板と居室ユニットとの間に距離があるので、屋根ユニットの下側に設けられている梁と野地板の下側に設けられている梁との間に束等の縦材のフレームを設けて、野地板を支持しているが、通常の束等の縦材だけでは、強度を保持することが困難なので、特許文献２や特許文献３に記載されているように、この束を、略平行な上弦材と下弦材と、この上弦材と下弦材との間に設けられた縦材（束材）や斜め材（斜め束材）からなるフレームにして野地板を支持させることが多い。尚、この際、上弦材を野地板の下側に設けられる梁と兼用し、下弦材を屋根ユニットの下側に設けられる梁と兼用することもある。
【０００５】
即ち、特許文献２には、このフレームの下弦材を屋根ユニットの下端より上側に取り付けて、下側を居住空間にすることが記載されている。
また、特許文献３には、上面が略水平な面と傾斜した面とからなる居室ユニットの上に据え付けられる屋根ユニットが記載されていて、屋根ユニットを水平部分と傾斜部分からなるようにし、居室ユニットの水平な面に屋根ユニットの水平部分を据え付け、居室ユニットの傾斜した面に屋根ユニットの傾斜部分を据え付けることが記載されている。尚、この水平部分の棟側には、フレームが取り付けられている。
【０００６】
また、特許文献３の図４には、屋根ユニットの傾斜部分を独立の野地パネルに分割し、この独立の野地パネルを居室ユニットの傾斜している上面に取り付けることも記載されている。
このように独立の野地パネルにすると、板状となり、積み重ねて運搬することができ、運搬し易いし、長くても長手方向をトラックの前後方向にして運搬できるので、庇を適当な長さにすことができる。
【０００７】
【特許文献１】
特開２０００−１７０３０６号公報
【特許文献２】
特開平９−１７７２２４号公報
【特許文献３】
特開２００１−１４０３９６号公報
【０００８】
【発明が解決しようとする課題】
しかし、特許文献１に記載されている屋根ユニットのように庇を折曲可能にしていると、この折曲部の機械的強度が小さくなるので、この部分を大きな機械的強度を有する構造にする必要がある。
また、特許文献３の図４に記載されているように野地パネルにすると、板状となり、運搬し易いし、多少長くとも長手方向をトラックの前後方向にすることによって運搬可能で、庇の出寸法を適当な長さにすることが可能であるが、上面が傾斜している居室ユニットは少なく、すべての建物ユニットに適用できない。
【０００９】
そこで、この長くとも運搬可能で、庇の出寸法を適当な長さにすることのできる特許文献３に記載されている独立の野地パネルを、上面が傾斜している居室ユニット以外にも適用するために、特許文献１に記載されている折曲している軒先部分を、屋根ユニットから軒先部の野地部分を分離させ、且つ、軒先部分を折曲しない独立の野地パネルに代替し、軒先部以外の居室ユニットの軒先側のフレームと軒先の梁との間にこの独立の野地パネルを架け渡すことを試みた。
【００１０】
このようにすると、独立の野地パネルを積み重ねて運搬でき、運搬費も安価になるし、庇を長くすることもでき、極めて好ましいが、この独立の野地パネルを架け渡した屋根ユニットの軒先側のフレームには、屋根ユニットの傾斜している野地パネルとこの上に葺かれた屋根材の荷重と、独立の野地パネルとこの上に葺かれた屋根材の荷重の両方がかかり、このフレームの機械的強度が不足するし、このフレームの下方の居室ユニットにもこの両方の荷重がかかり、この居室ユニットの機械的強度も不足するという問題があることが判明した。
【００１１】
しかも、独立の野地パネルを屋根ユニットのフレームと軒先の梁とに架け渡すと、この屋根ユニットのフレームの上面に、屋根ユニットの野地パネルと、独立の野地パネルの両方を載置する必要があるが、独立の野地パネルが滑り落ちないよう強固に取り付けるためには、フレームの上面の幅を広くする必要があるという問題もある。特に枠組壁工法で建てる建物の場合では、フレームの上面が略３８ｍｍの規格材を使用することが多いので、このフレームの上に両者を載せることは極めて困難である。
【００１２】
そこで、この発明の目的は、軒先側のフレームに独立の野地パネルを取り付けることができ、しかも、軒先側のフレームの機械的強度が不足しない屋根ユニットを提供することである。
【００１３】
【課題を解決するための手段】
本発明は、上記課題を解決するためになされたものであって、請求項１に記載の発明は、軒先側に独立の野地パネルを取り付けることのできる屋根ユニットであって、傾斜した野地パネルと、この野地パネルの軒先側に取り付けられた第１フレームとを備え、この第１フレームには、第２フレームが第１フレームの軒先側に取り付けられ、この第２フレームと前記独立の野地パネルには、第２フレームの上に独立の野地パネルを載置したときに互いに連結できる連結部が設けられているものである。
【００１４】
この請求項１記載の発明における第１フレームと第２フレームは、束等の縦材だけでもよいし、複数の縦材の上に梁等の上弦材を架け渡したものでもよいし、略平行な上弦材と下弦材との間に縦材や斜め材を取り付けたトラスであってもよい。
また、請求項１記載の発明に使用される第２フレームは、第１フレームと略同じ構造であってもよいし、別の構造であってもよい。
【００１５】
また、請求項１記載の発明の第２フレームと独立の野地パネルとに設けられる連結部は、第２フレームの上に独立の野地パネルを載置したときに互いに連結できる構造であればよい。例えば、第２フレームと独立の野地パネルの一方が鉤形の引っ掛け具であり、他方がこの引っ掛け具に引っ掛かる係止部であって、第２フレームの上に独立の野地パネルを載置したときに、この引っ掛け具を係止部に引っ掛けて連結できるようにした構造でもよいし、両者に通孔を設け、第２フレームの上に独立の野地パネルを載置したときに、この通孔に通されたボルトとこのボルトに螺入したナットとで連結できるようにした構造でもよい。
【００１６】
また、この連結構造は、独立の野地パネルを第２フレームに取り付けた後に、独立の野地パネルから第２フレームに螺入したり打ち込んで連結する螺子釘や釘等の連結具で連結する構造であってもよい。
【００１７】
特に、請求項２記載のように、前記第１フレームと第２フレームが、複数の縦材と、この縦材の上に架け渡された上弦材がある場合には、第２フレームの連結部が、第２フレームの上弦材に取り付けられたパネル受け材と、このパネル受け材に取り付けられた上方に突出した下側係止材からなり、独立の野地パネルの連結部が、棟側の裏面縁部に設けられた下方に突出した上側係止材であると、第２フレームの上に独立の野地パネルを載置する際に、前記独立の野地パネルの棟側の上側係止材を屋根ユニットの下側係止材と第２フレームの間に挿入するだけで、この上側係止材が下側係止材に引っ掛かり、第２野地パネルを第２フレームに滑り落ちないように連結できるので好ましい。
【００１８】
即ち、請求項２記載の発明は、請求項１記載の発明に係り、前記第１フレームと第２フレームは、複数の縦材と、この縦材の上に架け渡された上弦材からなり、前記第２フレームの連結部は、この第２フレームの上弦材に取り付けられたパネル受け材と、このパネル受け材に取り付けられた上方に突出した下側係止材とからなり、前記独立の野地パネルの連結部は、棟側の裏面縁部に設けられた下方に突出した上側係止材であり、この上側係止材は第２フレームの下側係止材と上弦材との間に挿入可能になされているものである。
【００１９】
この請求項２記載の発明におけるパネル受け材は、第２フレームの上弦材に沿って取り付けられた長尺体でもよいし、第２フレームの上弦材の所々に取り付けられた短尺体であってもよい。
【００２０】
また、下側係止材は、第２フレームの上弦材に沿った状態にして、パネル受け材に取り付けられた長尺体でもよいし、パネル受け材の所々に取り付けられた短尺体であってもよい。いずれにしても、この下側係止材は、パネル受け材から上方に突出した状態に取り付けられていて、独立の野地パネルの棟側の縁部に設けられた上側係止材を第２フレームの上弦材と下側係止材との間に挿入すると、この下側係止材に独立の野地パネルの上側係止材が引っ掛かるようにしたものである。
【００２１】
また、請求項２記載の発明における上側係止材は、独立の野地パネルの上側縁部に沿って取り付けられた長尺体でもよいし、独立の野地パネルの上側縁部の上弦材の所々に取り付けられた短尺体であってもよい。
【００２２】
請求項３記載の発明は、請求項１記載の発明に係り、前記第２トラス材は、屋根ユニットを第１居室ユニットの上に据え付けたときに、第１居室ユニットの軒先側に据え付けられている第２居室ユニットの上に載置される位置に設けられているものである。
【００２３】
この請求項３記載の発明では、第２フレーム材が第２居室ユニットの上に載置される位置に設けられているが、これは、屋根ユニットを第１居室ユニットの上に据え付けたときに、第２フレーム材が第２居室ユニットの上に載置されるようになっていることである。尚、この載置されるとは、第２フレームが、直接、第２居室ユニットの上に載置されてもよいし、この第２フレームと第２居室ユニットの間に第３の物体があって、第２フレームが第３の物体を介して第２居室ユニトに載置されるというようにする間接的な載置でもよい。要するに、第２フレームにかかる独立の野地パネルとその上に葺かれた屋根材の荷重が、この第２フレームを経て第２居室ユニットにかかるようにすればよい。
【００２４】
例えば、第２居室ユニットの上に独立の野地パネルを支持する妻側トラスがあり、この妻側トラスが第２居室ユニットの上に据え付けられる場合には、この妻側トラスの下側梁の上に第２フレームを載置するようにしてもよい。
【００２５】
（作用）
請求項１記載の発明では、軒先側に独立の野地パネルを取り付けることのできる屋根ユニットであって、傾斜した野地パネルと、この野地パネルの軒先側に取り付けられた第１フレームとを備え、この第１フレームには、第２フレームが、第１フレームの軒先側に取り付けられ、この第２フレームと前記独立の野地パネルには、第２フレームの上に独立の野地パネルを載置したときに互いに連結できる連結部が設けられているので、この屋根ユニットを第１居室ユニットの上に据え付けた後に、独立の野地パネルを、第２フレーム材と、第１居室ユニットの軒先側に据え付けられた第２居室ユニットの軒先側とに架け渡し、この第２フレームと独立の野地パネルとを連結部で連結すると、この屋根ユニットの野地パネルと独立の野地パネルとが連結して連続した野地が形成される。
【００２６】
このように、独立の野地パネルを第２フレームに取り付けると、独立の野地パネルとこの上に葺かれた屋根材の荷重は、この独立の野地パネルが載置されている第２フレームにかかる。
即ち、第１フレームには、独立の野地パネルとこの上に葺かれた屋根材の荷重がかからず、屋根パネルとこの上に葺かれた屋根材の荷重のみがかかる。従って、この第１フレームの機械的強度を特別に大きくしなくとも、第１フレームの機械的強度が不足しない。
【００２７】
また、屋根ユニットの野地パネルは第１フレームに取り付けられ、独立の野地パネルは第２フレームに取り付けられるといように、屋根ユニットの野地パネルと独立の野地パネルとは別々のフレームに取り付けられている。従って、独立の野地パネルを取り付ける施工が容易になる。
また、第２フレームと独立の野地パネルとを連結部で連結するので、両者が強固に連結され、独立の野地パネルが滑り落ちることがない。
また、軒先側の野地には、独立の野地パネルが使用されるので、この独立の油地パネルは板状となり運搬し易いと同時に、この独立の野地パネルは長くとも長手方向をトラックの前後方向に向けることによって運搬可能である。従って、庇の出寸法を適当な長さにすることができる。
【００２８】
請求項２記載の発明では、請求項１記載の発明に係り、前記第１フレームと第２フレームは、複数の縦材と、この縦材の上に架け渡された上弦材からなり、前記第２フレームの連結部は、この第２フレームの上弦材に取り付けられたパネル受け材と、このパネル受け材に取り付けられた上方に突出した下側係止材とからなり、前記独立の野地パネルの連結部は、棟側の裏面縁部に設けられた下方に突出した上側係止材であり、この上側係止材は第２フレームの下側係止材と上弦材との間に挿入可能になされているので、第２フレームの上に独立の野地パネルを載置する際に、独立の野地パネルの棟側の裏面縁部に設けられた上側係止材を、第２フレームの下側係止材と上弦材の間に挿入するだけで、簡単に、この上側係止材が下側係止材に引っ掛かって、独立の野地パネルが第２トラス材に滑り落ちないように連結できる。
【００２９】
請求項３記載の発明では、請求項１記載の発明に係り、前記第２フレームは、屋根ユニットを第１居室ユニットの上に据え付けたときに、第１居室ユニットの軒先側に据え付けられている第２居室ユニットの上に載置される位置に設けられているので、この屋根ユニットを第１居室ユニットの上に据え付け、別の野地パネルを、屋根ユニットの第２フレームと第１居室ユニットの軒先側に据え付けられた第２居室ユニットの軒先に架け渡すと、独立の野地パネルとこの上に葺かれた屋根材の荷重は、この独立の野地パネルが取り付けられている第２フレームを経て、第２フレームが載置されている第２居室ユニットにかかる。
【００３０】
そして、屋根ユニットとこの上に葺かれた屋根材の荷重は、従来と同様に、第１フレームを経て第１居室ユニットにかかる。
このように屋根ユニットとこの上に葺かれた屋根材の荷重と、独立の野地パネルとこの上に葺かれた屋根材の荷重は、それぞれ別の居室ユニットにかかるので、第１居室ユニットや第１居室ユニットの機械的強度を特別に大きくする必要がない。
【００３１】
【発明の実施の形態】
以下、本発明の実施の形態を実施例で説明する。
図１〜図７は本発明の一実施例を示すもので、図１（イ）はユニット建物を示す斜視図、（ロ）はユニット建物の切り妻部分を示す正面図、（ハ）は（ロ）のＡ部分を拡大して示す正面図、図２（イ）は屋根ユニットを取り付けている状態の一部を示す正面図、（ロ）は屋根ユニットを取り付けた状態の一部を示す斜視図、（ハ）は（ロ）のＢ部分を拡大して示す斜視図、図３は居室ユニットを示す斜視図、図４（イ）は屋根ユニットを示す斜視図、（ロ）は第１フレームを示す正面図、図５（イ）は第２フレームを示す正面図、（ロ）は（イ）の側面図、図６は第１フレームと第２フレームに使用される斜め材を示す斜視図、図７（イ）は表面を上にした状態の独立の野地パネルを示す斜視図、（ロ）は裏面を上にした状態の独立の野地パネルを示す斜視図である。
【００３２】
図１〜図７において、Ｈはユニット建物であり、このユニット建物Ｈは、図１（イ）及び図３に示すように、基礎９の上に９個の居室ユニット１が据え付けられて１階が形成され、この１階の居室ユニット１の上に９個の居室ユニット１が据え付けられて２階が形成され、この２階の中央にある３個の居室ユニット１の上に３個の屋根ユニット２が据え付けられ、この３個の屋根ユニット２の両側にそれぞれ３組ずつ、合計６組の独立の妻壁フレーム３が据え付けられ、この６組の独立の妻壁フレーム３の上に６個の独立の野地パネル４が取り付けられて屋根が形成され、屋根ユニット２の野地パネル２５の上と独立の野地パネル４の上とに図示しない屋根材が葺かれたものである。
【００３３】
このユニット建物Ｈを構成する居室ユニット１は、従来の居室ユニットと略同じである。即ち、図３に示すように、矩形状の床パネル１１と、この床パネル１１の上に立設された壁パネル１２と、床パネル１１の隅部に立設された柱１３とからなる。
この実施例では、屋根ユニット２の下方に据え付けられている居室ユニット１を第１居室ユニット１−１と称し、独立の野地パネル４の下方に据え付けられている居室ユニット１を第２居室ユニット１−２と称する。
【００３４】
屋根ユニット２は、図４に示すように、木製の妻壁トラス２１と、木製の第１フレーム２３と、木製の第２フレーム２４と、野地パネル２５と、木製の束２６と、木製の棟木２７と、図２に示されている木製の流れ梁２８とからなる。
妻壁トラス２１は、下側梁２１１と、この下側梁２１１の両側部に立設された縦材２１２と、この両側部の縦材２１２の上に架け渡された上側梁２１３とからなる。
【００３５】
第１フレーム２３は、図４（ロ）に示すように、下弦材２３１と、この下弦材２３１の両端部に立設された縦材２３２と、この両端部の縦材２３２の上に架け渡された上弦材２３３と、縦材２３２と上弦材２３３に差し渡された斜め材２３４とからなる。尚、下弦材２３１と上弦材２３３とは略平行になっている。
【００３６】
この第１フレーム２３に使用される斜め材２３４は、図６に示すように、金属製の棒状体２３５と、この棒状体２３５の両側に取り付けられた金属製の断面Ｌ字形の短尺体の上側取付金具２３６と下側取付金具２３７とからなり、図４（ロ）に示すように、この上側取付金具２３６が上弦材２３３に取り付けられ、下側取付金具２３７が縦材２３２に取り付けられている。又、下弦材２３１と縦材２３２とは取付金具２３８で連結されているし、縦材２３２と上弦材３２３とは取付金具２３９で連結されている。
【００３７】
又、第２フレーム２４は、図５に示すように、下弦材２４１と、この下弦材２４１の両端に立設された縦材２４２と、この両端に立設された縦材２４２の上に架け渡された上弦材２４３と、縦材２４２と上弦材２４３に差し渡された斜め材２４４とからなり、下弦材２４１と上弦材２４３とが略平行になっていること、斜め材２４２が、図５（ハ）に示すように、金属製の棒状体２４５と、この棒状体２４５の両側に取り付けられた金属製の断面Ｌ字形の短尺体の上側取付金具２４６と下側取付金具２４７とからなり、上側取付金具２４６が、図５（イ）に示すように、上弦材２４３に取り付けられ、下側取付金具２４７が縦材２４２に取り付けられ、下弦材２４１と縦材２４２とは取付金具２４８で連結されるし、縦材２４２と上弦材２４３とは取付金具２４９で連結されていることは第１フレーム２３と略同じである。
【００３８】
しかし、この第２トラス２４には、スペーサー５１とパネル受け材５２と下側係止材５３が取り付けられていることが異なる。
即ち、上弦材２４１の棟側の面に合板の４個のスペーサー５１が取り付けられ、両側の縦材２４２にはそれぞれ、合板の２個のスペーサー５１が取り付けられていて、この第２フレーム２４が、棟側の面を第１フレーム２３に対峙した状態に、取り付けられている。すると、この第１フレーム２３と第２フレーム２４との間には、スペーサー５１だけの隙間が形成される。即ち、この第１フレーム２３の軒先側に、第２フレーム２４がスペーサー５１の厚みだけ隔てて、略平行に取り付けられている。
【００３９】
また、上弦材２４１の軒先側の面には、厚みが略３８ｍｍ、高さが略８９ｍｍの木材であるパネル受け材５２が略平行に取り付けられ、このパネル受け材５２には、合板製長尺体である下側係止材５３が取り付けられていて、このパネル受け材５２と下側係止材５３とで、後述の独立の野地パネル４を受けるものである。即ち、パネル受け材５２と下側係止材５３は、独立の野地パネル４を連結するものであって、第２トラス２４側の連結部Ｍである。
【００４０】
野地パネル２５は、図１及び図２に示すように、複数の略平行な木製の垂木２５１と、この垂木２５１の上に張り付けられた合板の野地板２５２とからなる。
そして、屋根ユニット２は、２個の妻壁トラス２１を所定距離を隔てた両側に立設させ、この２個の妻壁トラス２１の支柱２１２に第１トラス２３を差し渡して連結し、妻壁トラス２１の上側梁２１３の略中央に束２６を立設し、両側の束２６に棟木２７を架け渡し、束２６と上側梁２１３の両側に流れ梁２８を架け渡し、この流れ梁２１４の上に野地パネル２５を取り付けたものである。
【００４１】
なお、施工し易いように、野地パネル２５の野地板２５２の一部を取り付けないでいて、この野地パネル２５を取り付けた後に、野地板２５２の存在しない一部に野地板２５２を取り付けるようにしてもよい。
独立の妻壁フレーム３は、図２に示すように、屋根梁３１と、この屋根梁３１の上に立設された高さが順に低くなされた５本の略平行な束３２と、この束３２の上に斜めに架け渡された流れ梁３２とからなる。
【００４２】
そして、屋根梁３１は束３２や流れ梁３２より若干棟側に突出した部分Ｐが形成されていて、屋根ユニット２を据え付けたときに、この部分Ｐに、屋根ユニット２の第２フレーム２４が載置できるようになっている。
独立の野地パネル４は、図７に示すように、複数の略平行な木製の垂木４１と、この垂木４１の上に取り付けられた合板の野地板４２と、この野地板４２の裏面の軒先側に取り付けられた木製の上側係止材４３とからなる。
【００４３】
この上側係止材４３は、第２フレーム２４のパネル受け材２４６と係止材２４７の間に挿入して、独立の屋根パネル４を屋根パネル２に取り付けるものである。従って、この上側係止材４３は、第２フレーム側の連結部Ｍに連結されるものであって、独立の屋根パネル４の連結部Ｎである。
そして、第２居室ユニット１−２の上に独立の妻壁フレーム３を取り付け、この独立の妻壁フレーム３の上に独立の野地パネル４を取り付けると、この独立の野地パネル４が第２居室ユニット１−２の軒先側から突出し、庇が形成される。
【００４４】
次に、このユニット建物Ｈの施工方法及び作用について説明する。
工場で、居室ユニット１と屋根ユニット２と独立の妻壁フレーム３と独立の野地パネル４等を製造する。
この居室ユニット１と屋根ユニット２と独立の妻壁フレーム３と独立の野地パネル４等を施工現場に運搬する。
【００４５】
この際、独立の野地パネル４は、居室ユニット１より長いが、板状であるので、これを積み重ねて運搬することができ、運搬し易い。
また、この独立の屋根パネル４は居室ユニット１より長くても、長手方向をトラックの長手方向にすることによって運搬可能である。従って、庇の出寸法を適当な長さにすることができ、便利である。
【００４６】
施工現場では、予め設けられている基礎９の上に９個の居室ユニット１を据え付けて１階を形成し、この１階の居室ユニット１の上に９個の居室ユニット１を据え付けて２階を形成し、この２階の両側の６個の居室ユニット１の上に６組の独立の妻壁フレーム３をそれぞれ取り付ける。
【００４７】
次に、図２に示すように、中央の３個の居室ユニット１の上に３個の屋根ユニット２を据え付ける。
すると、屋根ユニット２の第２フレーム２４が、既に、取り付けられている独立の妻壁フレーム３の屋根梁３１の部分Ｐの上に載置される。
次に、第２フレーム２４と第１居室ユニット１−１の軒先側に据え付けられた第２居室ユニット１−２の軒先側とに架け渡して、独立の妻壁フレーム３の上に独立の野地パネル４を取り付ける。
【００４８】
この際、独立の野地パネル４の棟側の縁部に設けられた上側係止材４３を、第２フレーム２４の下側係止材５３と上弦材２４３の間に挿入する。すると、第２フレーム２４の連結部Ｍと独立の野地パネル４の連結部Ｎとが連結される。
このように、独立の野地パネル４の棟側の縁部に設けられた上側係止材４３を、第２フレーム２４の下側係止材５３と上弦材２４３の間に挿入するだけで、この上側係止材４３が下側係止材５３に引っ掛かって、両方の連結部が連結され、その結果、独立の野地パネル４が第２フレーム２４に滑り落ちないように連結でき、極めて施工し易い。
【００４９】
このようにして、６組の独立の妻壁フレーム３の上に６個の独立の野地パネル４を、次々と、取り付ける。
すると、この屋根ユニット２の野地パネル２５と独立の野地パネル４とが連結して連続した野地が形成される。
その後に、この連続した野地の上に屋根材を葺いたり、棟瓦を取り付けたり、その他の仕上げを行うと、ユニット建物Ｈが完成する。
【００５０】
このようにして完成したユニット建物Ｈでは、独立の野地パネル４とこの上に葺いた屋根材の荷重は、この独立の野地パネル４が載置されている第２フレーム２４にかかる。
また、この第２フレーム２４は、独立の妻壁フレーム３の屋根梁３１を介して第２居室ユニット１−２の上に載置されているので、上記独立の野地パネル４とこの上に葺かれた屋根材の荷重は、第２フレーム材２４、独立の妻壁フレーム３の屋根梁３１の部分Ｐを経て第２居室ユニット１−２にかかる。
【００５１】
一方、屋根ユニット２の野地パネル２５とこの上に葺かれた屋根材の荷重は、従来と同様に、第１フレーム２１を経て第１居室ユニット１−１にかかる。
このように、屋根ユニット２の野地パネル２５とこの上に葺かれた屋根材の荷重と、独立の野地パネル３とこの上に葺かれた屋根材の荷重は、それぞれ第１居室ユニット１−１と第２居室ユニット１−２に別々にかかるので、第１フレーム２１や第１居室ユニット１−１の機械的強度を特別に大きくする必要がなく、便利である。
【００５２】
以上、この発明の実施の形態を実施例で詳細に説明したが、具体的な構成は、この実施例に限られるものではなく、この発明の要旨を逸脱しない範囲の設計の変更等があっても、この発明に含まれる。
例えば、この実施例では木質系のユニット建物について説明したが、鉄骨系のユニット建物でもよい。
また、この実施例では第２フレーム２４が独立の妻壁フレーム３の屋根梁３１の上に載置されているが、この第２フレームが第２居室ユニット１−２の天井梁や柱の上に載置されてもよい。
また、第１フレーム２１と第２フレーム２４は略同じ構造になっているが、異なる構造であってもよい。
【００５３】
【発明の効果】
以上説明してきたように、請求項１記載の発明は、軒先側に独立の野地パネルを取り付けることのできる屋根ユニットであって、傾斜した野地パネルと、この野地パネルの軒先側に取り付けられた第１フレームとを備え、この第１フレームには、第２フレームが第２フレームの軒先側に取り付けられ、この第２フレームと前記独立の野地パネルにはそれぞれ、第２フレームの上に独立の野地パネルを載置したときに互いに連結できる連結部が設けられているから、この屋根ユニットを第１居室ユニットの上に据え付けた後に、独立の野地パネルを第２フレーム材と、第１居室ユニットの軒先側に据え付けられた第２居室ユニットの軒先側とに架け渡し、第２フレームの連結部と独立の野地パネルの連結部を連結すると、この屋根ユニットの野地パネルと独立の野地パネルとが連結して連続した野地が形成される。
【００５４】
このように、独立の野地パネルを第２フレームに取り付けると、独立の野地パネルとこの上に葺かれた屋根材の荷重は、この独立の野地パネルが載置されている第２フレームにかかる。従って、この第１フレームの機械的強度を特別に補強する必要がない。
また、屋根ユニットの野地パネルが第１フレームに取り付けられ、独立の野地パネルは第２フレームに取り付けられるといように、屋根ユニットの野地パネルと独立の野地パネルとは別々のフレームに取り付けられている。従って、独立の野地パネルを取り付ける施工が容易になる。
【００５５】
また、第２フレームと独立の野地パネルとは連結部で連結されていて、両者が強固に連結され、独立の野地パネルが滑り落ちることがない。
また、軒先側の野地には、独立の野地パネルが使用されるので、この独立の野地パネルは板状であり運搬し易いと同時に、居室ユニットより長くても運搬可能である。従って、庇の出寸法を適当な長さにすることができ、便利である。
【００５６】
請求項２記載の発明では、請求項１記載の発明に係り、前記第１フレームと第２フレームは、複数の縦材と、この縦材の上に架け渡された上弦材からなり、前記第２フレームの連結部は、この第２フレームの上弦材に取り付けられたパネル受け材と、このパネル受け材に取り付けられた上方に突出した下側係止材とからなり、前記独立の野地パネルの連結部は、棟側の裏面縁部に設けられた下方に突出した上側係止材であり、この上側係止材は第２フレームの下側係止材と上弦材との間に挿入可能になされているから、第２フレームの上に独立の野地パネルを載置するときに、独立の野地パネルの棟側の縁部に設けられた上側係止材を、第２フレームの下側係止材と上弦材の間に挿入するだけで、簡単に、独立の野地パネルを第２トラス材に滑り落ちないように連結することができ、施工し易い。
【００５７】
請求項３記載の発明は、請求項１記載の発明に係り、前記第２フレームは、屋根ユニットを第１居室ユニットの上に据え付けたときに、第１居室ユニットの軒先側に据え付けられている第２居室ユニットの上に載置される位置に設けられているから、この屋根ユニットを第１居室ユニットの上に据え付け、別の野地パネルを、屋根ユニットの第２フレームと第１居室ユニットの軒先側に据え付けられた第２居室ユニットの軒先に架け渡すと、独立の野地パネルとこの上に葺かれた屋根材の荷重は、この独立の野地パネルが取り付けられている第２フレームを経て、第２フレームが載置されている第２居室ユニットにかかるし、屋根ユニットとこの上に葺かれた屋根材の荷重は、従来と同様に、第１フレームを経て第１居室ユニットにかかる。
従って、第１居室ユニットや第１居室ユニットの機械的強度を特別に大きくする必要がなく便利である。
【図面の簡単な説明】
【図１】本発明の一実施例を示すもので、（イ）はユニット建物を示す斜視図、（ロ）はユニット建物の切り妻部分を示す正面図、（ハ）は（ロ）のＡ部分を拡大して示す正面図である。
【図２】（イ）は屋根ユニットを取り付けている状態の一部を示す正面図、（ロ）は屋根ユニットを取り付けた状態の一部を示す斜視図、（ハ）は（ロ）のＢ部分を拡大して示す斜視図である。
【図３】居室ユニットを示す斜視図である。
【図４】（イ）は屋根ユニットを示す斜視図、（ロ）は第１フレームを示す正面図である。
【図５】（イ）は第２フレームを示す正面図、（ロ）は（イ）の側面図である。
【図６】第１フレームと第２フレームに使用される斜め材を示す斜視図である。
【図７】（イ）は表面を上にした状態の独立の野地パネルを示す斜視図、（ロ）は裏面を上にした状態の独立の野地パネルを示す斜視図である。
【符号の説明】
Ｈ                ユニット建物
Ｍ                第２フレーム側の連結部
Ｎ                独立の屋根パネル側の連結部
１                居室ユニット
２                屋根ユニット
２１              妻壁フレーム
２３              第１フレーム
２４              第２フレーム
２５              野地パネル
３                独立の妻壁フレーム
４                独立の野地パネル
４３              上側係止材
５１              スペーサー
５２              パネル受け材
５３              下側係止材
【図１】
2004324308.tif 000003
【図２】
2004324308.tif 000004
【図３】
2004324308.tif 000005
【図４】
2004324308.tif 000006
【図５】
2004324308.tif 000007
【図６】
2004324308.tif 000008
【図７】
2004324308.tif 000009